(57)【要約】【課題】通話品質、省電力化および通話コストのトレードオフを効率的に図ること。【解決手段】外部ＷＡＮ用インターフェースの着脱の有無や音声直接通話対応／非対応に応じて、利用できる待ち受けモードがそれぞれ異なる。外付けＷＡＮ用インターフェースが未装着の場合、ＶｏＩＰ専用モードのみを利用することができる。また、内蔵無線ＬＡＮインターフェースのほか、公衆無線網による音声通話に対応している外付けＷＡＮ用インターフェースが装着されている場合、すべての待ち受けモードを利用することができる。また、公衆無線網による音声通話に対応していない外付けＷＡＮ用インターフェース１０８ｂが装着されている場合、ＶｏＩＰ専用モードのみを利用することができる。【選択図】        図６
2006270892.tif 000002
【特許請求の範囲】
【請求項１】
無線通信網に接続する第１の無線通信インターフェースを用いて音声通話をおこなう音声通話装置において、
装置本体に着脱可能な第２の無線通信インターフェースの着脱を検出する検出手段と、
前記検出手段によって検出された第２の無線通信インターフェースが公衆回線網に接続する音声通話対応のインターフェースであるか否かを判別する判別手段と、
前記検出手段によって検出された検出結果または前記判別手段によって判別された判別結果に基づいて、前記第１または第２の無線通信インターフェースのうち少なくともいずれか一つのインターフェースを用いて音声通話の発着信の待ち受けをおこなう待ち受けモードを設定する設定手段と、
を備えることを特徴とする音声通話装置。
【請求項２】
前記設定手段は、
前記検出手段によって検出された検出結果または前記判別手段によって判別された判別結果に基づいて、前記待ち受けモードを、ＶｏＩＰ（Ｖｏｉｃｅ  ｏｖｅｒ  ＩＰ）のみにより発着信の待ち受けをおこなうＶｏＩＰ専用モードに設定することを特徴とする請求項１に記載の音声通話装置。
【請求項３】
前記設定手段は、
前記検出手段によって前記第２の無線通信インターフェースの未装着が検出された場合、または前記判別手段によって前記第２の無線通信インターフェースが前記公衆回線網に接続する音声通話対応のインターフェースでないと判別された場合、前記待ち受けモードを、前記ＶｏＩＰ専用モードに設定することを特徴とする請求項２に記載の音声通話装置。
【請求項４】
前記設定手段によって前記ＶｏＩＰ専用モードに設定された場合、前記無線通信網と前記公衆回線網のうちいずれの圏内にあるかを判定する判定手段と、
前記判定手段によって前記第１の無線通信網の圏外であると判定された場合、前記第１の無線通信インターフェースへの電源供給を停止するように制御する制御手段と、
を備えることを特徴とする請求項２または３に記載の音声通話装置。
【請求項５】
前記設定手段は、
前記判別手段によって前記第２の無線通信インターフェースが前記公衆回線網に接続する音声通話対応のインターフェースであると判別された場合、前記待ち受けモードを、回線交換方式のみにより発着信の待ち受けをおこなう回線交換専用モードに設定することを特徴とする請求項１に記載の音声通話装置。
【請求項６】
前記設定手段は、
前記判別手段によって前記第２の無線通信インターフェースが前記公衆回線網に接続する音声通話対応のインターフェースであると判別された場合、前記待ち受けモードを、ＶｏＩＰ（Ｖｏｉｃｅ  ｏｖｅｒ  ＩＰ）および回線交換方式により発着信の待ち受けをおこなうＶｏＩＰ／回線交換両用モードに設定することを特徴とする請求項１に記載の音声通話装置。
【請求項７】
前記設定手段は、
前記待ち受けモードを、ＶｏＩＰ（Ｖｏｉｃｅ  ｏｖｅｒ  ＩＰ）のみにより発着信の待ち受けをおこなうＶｏＩＰ専用モードと、回線交換方式のみにより発着信の待ち受けをおこなう回線交換専用モードと、前記ＶｏＩＰおよび前記回線交換方式により発着信の待ち受けをおこなうＶｏＩＰ／回線交換両用モードとの中から選ばれた待ち受けモードを設定することを特徴とする請求項１に記載の音声通話装置。
【請求項８】
無線通信網に接続する第１の無線通信インターフェースを用いて音声通話をおこなう音声通話方法において、
装置本体に着脱可能な第２の無線通信インターフェースの着脱を検出する検出工程と、
前記検出工程によって検出された第２の無線通信インターフェースが公衆回線網に接続する音声通話対応のインターフェースであるか否かを判別する判別工程と、
前記検出工程によって検出された検出結果または前記判別工程によって判別された判別結果に基づいて、前記第１または第２の無線通信インターフェースのうち少なくともいずれか一つのインターフェースを用いて音声通話の発着信の待ち受けをおこなう待ち受けモードを設定する設定工程と、
を含んだことを特徴とする音声通話方法。
【請求項９】
無線通信網に接続する第１の無線通信インターフェースを用いて音声通話をおこなわせる音声通話プログラムにおいて、
装置本体に着脱可能な第２の無線通信インターフェースの着脱を検出させる検出工程と、
前記検出工程によって検出された第２の無線通信インターフェースが公衆回線網に接続する音声通話対応のインターフェースであるか否かを判別させる判別工程と、
前記検出工程によって検出された検出結果または前記判別工程によって判別された判別結果に基づいて、前記第１または第２の無線通信インターフェースのうち少なくともいずれか一つのインターフェースを用いて音声通話の発着信の待ち受けをおこなう待ち受けモードを設定させる設定工程と、
をコンピュータに実行させることを特徴とする音声通話プログラム。
【請求項１０】
請求項９に記載の音声通話プログラムを記録したコンピュータに読み取り可能な記録媒体。
【発明の詳細な説明】
【技術分野】
【０００１】
この発明は、装置本体に内蔵されている、無線通信網に接続する無線通信インターフェースを用いて音声通話をおこなう音声通話装置、音声通話方法、音声通話プログラム、および記録媒体に関する。無線通信インターフェースとしては、具体的には、たとえば、装置本体に内蔵されている無線ＬＡＮの音声通話インターフェース（以下、「内蔵無線ＬＡＮインターフェース」という）とする。
【背景技術】
【０００２】
従来のＶｏＩＰ（Ｖｏｉｃｅ  ｏｖｅｒ  ＩＰ）を利用した携帯電話機は、無線ＬＡＮインターフェースしか搭載しておらず、通話できる場所が構内や社内等に限定されていた。そのため、無線ＬＡＮ以外に公衆無線網も加えて複数のメディアを使用可能にし、通話できる場所を拡大するような装置が登場している（たとえば、下記非特許文献１を参照。）。
【０００３】
この従来の携帯電話機では、構内や社内は無線ＬＡＮでＶｏＩＰを利用し、それ以外では携帯電話機の回線交換による通話方式を利用するというように、場所に応じて使用するメディアが限定されており、各メディアの圏外圏内やユーザ要求に応じたメディアの発着信制御も容易である。
【０００４】
無線ＬＡＮシングルモードでは、通常のＶｏＩＰの状態遷移となる。また、ディジタル携帯電話の世界統一規格であるＩＭＴ−２０００に準拠した高速パケット通信インターフェースによるＩＭＴ−２０００シングルモードでは、通常の回線交換通話の状態遷移のみとなる。また、デュアルモードでは、待ち受けのみ無線ＬＡＮを利用したＶｏＩＰと、回線交換を利用した通話の両方でおこなうが、発着信の後は、通常のＶｏＩＰの状態遷移、もしくは通常の回線交換通話の状態遷移に移行する。したがって、従来のＶｏＩＰを利用した携帯電話機では、状態遷移が３種類に限られ、モード管理が容易である。
【０００５】
【非特許文献１】ＮＴＴ  ＤｏＣｏＭｏ  ビジネスオンライン−Ｎ９００ｉＬ  ＦＯＭＡ特性・仕様、［online］、［平成１７年３月２２日検索］、インターネット＜ＵＲＬ：http://www.docomo.biz/html/product/cordless/n900il/foma.html＞
【発明の開示】
【発明が解決しようとする課題】
【０００６】
しかしながら、上述した従来のＶｏＩＰを利用した携帯電話機において、無線ＬＡＮインターフェースのほかに、他のＷＡＮ型インターフェースを外付けする場合、ＷＡＮ用インターフェースのメディアごとに音声通話／データ通信への対応が異なることとなり、装着されたインターフェースに応じて、発着信制御を変更しなければならないという問題があった。
【０００７】
たとえば、データ通信機能と音声通話機能の両方を持つＷＡＮ型インターフェースカードとデータ通信機能だけを持つＷＡＮ型インターフェースカードでは動作が異なり、さらにＷＡＮ型インターフェースカード自体が装着されていないことがある。このようにＷＡＮ型インターフェースカードの着脱や種類により、使用可能なデータ通信機能、音声通話機能などの組み合わせが動的に変化する。
【０００８】
このため、装着可能なすべてのインターフェースカードとその機能についての組み合わせとそれに応じた発着信制御方法をサポートすると、制御が非常に煩雑になるばかりでなく、制御に必要な状態遷移の記述を格納するメモリも増大して、搭載可能なメモリ容量をオーバーしてしまうという問題が生じることとなる。
【０００９】
たとえば、データ通信しかサポートしないＷＡＮ型インターフェースカードが持つ状態遷移と、音声通話機能のあるＷＡＮ型インターフェースカードが持つ状態遷移、さらにＷＡＮ型インターフェースカードを装着していないときの状態遷移を別個に考えると、それだけで状態遷移が３つ存在する。また、無線ＬＡＮ圏内と圏外で動作を変更すると、さらに２倍の状態遷移を有することになる。またさらに、ユーザの希望するインターフェースで発信することを考慮すると、また２つの状態遷移が増えることになる。このように複雑化した状態遷移の中から、必要最小限の状態遷移（モード）を効率的に選択することは、ユーザにとって面倒であるという問題がある。
【００１０】
この発明は、上述した従来技術による問題点を解消するため、通話品質、省電力化および通話コストのトレードオフを効率的に図ることができる音声通話装置、音声通話方法、音声通話プログラム、および記録媒体を提供することを目的とする。
【課題を解決するための手段】
【００１１】
上述した課題を解決し、目的を達成するため、この発明にかかる音声通話装置、音声通話方法、音声通話プログラム、および記録媒体は、無線通信網に接続する第１の無線通信インターフェースを用いて音声通話をおこなう音声通話装置、音声通話方法、音声通話プログラム、および記録媒体において、装置本体に着脱可能な第２の無線通信インターフェースの着脱を検出し、検出された第２の無線通信インターフェースが公衆回線網に接続する音声通話対応のインターフェースであるか否かを判別し、検出結果または判別結果に基づいて、前記第１または第２の無線通信インターフェースのうち少なくともいずれか一つのインターフェースを用いて音声通話の発着信の待ち受けをおこなう待ち受けモードを設定することを特徴とする。
【００１２】
また、上記発明において、検出結果または判別結果に基づいて、前記待ち受けモードを、ＶｏＩＰ（Ｖｏｉｃｅ  ｏｖｅｒ  ＩＰ）のみにより発着信の待ち受けをおこなうＶｏＩＰ専用モードに設定することとしてもよい。
【００１３】
また、上記発明において、前記第２の無線通信インターフェースの未装着が検出された場合、または前記第２の無線通信インターフェースが前記公衆回線網に接続する音声通話対応のインターフェースでないと判別された場合、前記待ち受けモードを、前記ＶｏＩＰ専用モードに設定することとしてもよい。
【００１４】
また、上記発明において、前記ＶｏＩＰ専用モードに設定された場合、前記無線通信網と前記公衆回線網のうちいずれの網圏内にあるかを判定し、前記無線通信網の圏外であると判定された場合、前記第１の無線通信インターフェースへの電源供給を停止するように制御することとしてもよい。
【００１５】
また、上記発明において、前記第２の無線通信インターフェースが前記公衆回線網の音声通話インターフェースであると判別された場合、前記待ち受けモードを、回線交換方式のみにより発着信の待ち受けをおこなう回線交換専用モードに設定することとしてもよい。
【００１６】
また、上記発明において、前記第２の無線通信インターフェースが前記公衆回線網に接続する音声通話対応のインターフェースであると判別された場合、前記待ち受けモードを、ＶｏＩＰ（Ｖｏｉｃｅ  ｏｖｅｒ  ＩＰ）および回線交換方式により発着信の待ち受けをおこなうＶｏＩＰ／回線交換両用モードに設定することとしてもよい。
【００１７】
また、上記発明において、前記ＶｏＩＰ／回線交換両用モードに設定された場合、前記無線通信網と前記公衆回線網のうちいずれの圏内にあるかを判定し、前記無線通信網および前記公衆無線網圏内であると判定された場合、前記第１の無線通信インターフェースを用いて前記ＶｏＩＰにより発着信の待ち受けをおこなうとともに、前記第２の無線通信インターフェースを用いて前記回線交換方式により着信の待ち受けをおこなうこととしてもよい。
【００１８】
また、上記発明において、前記ＶｏＩＰ／回線交換両用モードに設定された場合、前記無線通信網と前記公衆回線網のうちいずれの圏内にあるかを判定し、前記無線通信網および前記公衆無線網圏内であると判定された場合、前記第１の無線通信インターフェースを用いて前記ＶｏＩＰにより着信の待ち受けをおこなうとともに、前記第２の無線通信インターフェースを用いて前記回線交換方式により発着信の待ち受けをおこなうこととしてもよい。
【００１９】
また、上記発明において、前記ＶｏＩＰ／回線交換両用モードに設定された場合、前記無線通信網と前記公衆回線網のうちいずれの圏内にあるかを判定し、前記無線通信網の圏外であると判定された場合、前記第１の無線通信インターフェースへの電源供給を停止するように制御することとしてもよい。
【００２０】
また、上記発明において、前記待ち受けモードを、ＶｏＩＰ（Ｖｏｉｃｅ  ｏｖｅｒ  ＩＰ）のみにより発着信の待ち受けをおこなうＶｏＩＰ専用モードと、回線交換方式のみにより発着信の待ち受けをおこなう回線交換専用モードと、前記ＶｏＩＰおよび前記回線交換方式により発着信の待ち受けをおこなうＶｏＩＰ／回線交換両用モードとの中から選ばれた待ち受けモードを設定することとしてもよい。
【００２１】
また、上記発明において、さらに、前記ＶｏＩＰ専用モードと前記回線交換専用モードと前記ＶｏＩＰ／回線交換両用モードのうち、いずれかの待ち受けモードの選択を受け付け、前記待ち受けモードを、選択された待ち受けモードに設定することとしてもよい。
【００２２】
また、上記発明において、前記装置本体の使用状況に関する情報を取得し、前記ＶｏＩＰ専用モードと前記回線交換専用モードと前記ＶｏＩＰ／回線交換両用モードの中から、取得された使用状況に関する情報に応じた待ち受けモードを選択し、前記待ち受けモードを、選択された待ち受けモードに設定することとしてもよい。
【００２３】
これらの発明によれば、通話品質、コスト、省電力という３点から鑑みて、ＶｏＩＰ専用モード、回線交換専用モード、ＶｏＩＰ／回線交換両用モードこの４つの待ち受けモードを提供することにより、音声通話装置の限られたリソース（処理能力、メモリ容量など）の中で、最低限の通話品質と省電力化とコストに関して、メディアの種類やユーザの要求に応じた制御をおこなうことができる。
【００２４】
また、これら４つの待ち受けモードを設定し、それらの待ち受けモードの中で、細かく省電力の制御をおこなうことができる。特に消費電力が多くなりがちな第１の無線通信インターフェースは、なるべく通信をおこなわないことで省電力化を図ることができる。
【発明の効果】
【００２５】
本発明にかかる音声通話装置、音声通話方法、音声通話プログラム、および記録媒体によれば、通話品質、省電力化および通話コストのトレードオフを効率的に図ることができるという効果を奏する。
【発明を実施するための最良の形態】
【００２６】
以下に添付図面を参照して、この発明にかかる音声通話装置、音声通話方法、音声通話プログラム、および記録媒体の好適な実施の形態を詳細に説明する。
【００２７】
（音声通話装置のハードウェア構成）
まず、この発明の実施の形態にかかる音声通話装置のハードウェア構成について説明する。図１は、この発明の実施の形態にかかる音声通話装置のハードウェア構成を示す説明図である。図１において、１００は音声通話装置内の各部に電力を供給する電源、１０１は装置全体の制御を司るＣＰＵ、１０２はプログラムやデータなどを記憶するメモリである。
【００２８】
また、１０３は数字キーや十字キーなどの各種操作ボタン、１０４はメニューなどを表示する液晶ディスプレイ、１０５は音声を装置内部に入力するマイク、１０６は逆に音声を装置外部に出力するスピーカである。また、１０７は、具体的には、ＩＥＥＥ８０２．１１ｂなどによる無線通信を制御する内蔵無線ＬＡＮインターフェースであり、ＣＰＵ１０１を無線ＬＡＮに接続するハードウェアである。この内蔵無線ＬＡＮインターフェース１０７は、省電力状態中に無線ＬＡＮからのビーコン信号に応じてパケットを間欠受信するパワーセービングモードを有し、ＣＰＵ１０１の省電力化を図ることができる。
【００２９】
また、１０８は基地局との無線通信を制御する外付けＷＡＮ用インターフェースである。外付けＷＡＮ用インターフェース１０８は、たとえば、ＰＤＣ（Ｐｅｒｓｏｎａｌ  Ｄｉｇｉｔａｌ  Ｃｅｌｌｕｌａｒ）カード、ＰＨＳ（Ｐｅｒｓｏｎａｌ  Ｈａｎｄｙｐｈｏｎｅ  Ｓｙｓｔｅｍ）カード、ディジタル携帯電話の世界統一規格であるＩＭＴ−２０００に準拠した高速通信用カードといった公衆無線網対応のハードウェアである。
【００３０】
外付けＷＡＮ用インターフェース１０８は、その種類により音声直接通話対応の外付けＷＡＮ用インターフェース１０８ａであったり、音声通話非対応（すなわち、データ通信専用）の外付けＷＡＮ用インターフェース１０８ｂであったりする。外付けＷＡＮ用インターフェース１０８は、音声通話装置のカードスロット１０９に対し着脱することができる。
【００３１】
上述した音声通話装置では、外付けＷＡＮ用インターフェース１０８を着脱できる仕組みとなっているため、外付けＷＡＮ用インターフェース１０８の着脱の有無や、装着された外付けＷＡＮ用インターフェース１０８の音声直接通話対応／非対応に応じて様々な状態管理をおこなう必要がある。たとえば、ある外付けＷＡＮ用インターフェース１０８ａでは公衆無線網の回線交換による音声通話が可能であるが、別の外付けＷＡＮ用インターフェース１０８ｂではパケット通信しかできない場合がある。
【００３２】
このとき、前者の外付けＷＡＮ用インターフェース１０８ａと後者の外付けＷＡＮ用インターフェース１０８ｂでは異なる状態管理が必要になる。これらの様々な種類の外付けＷＡＮ用インターフェース１０８に対応し、本実施の形態では待ち受けモードの仮想化をおこない、必要最小限の４つの待ち受けモードを用意することで、外付けＷＡＮ用インターフェース１０８の差異を吸収する仕組みを提供する。また、この４つの待ち受けモードを提供することで、通話品質と低消費電力化と低コスト化のトレードオフをおこない、ユーザの嗜好（ローミング対応か省電力優先か等）に応じた待ち受けモード制御ができるようになる。
【００３３】
ここで、上述した４つの待ち受けモードについて説明する。上述した音声通話装置では、外付けＷＡＮ用インターフェース１０８の着脱および音声直接通話対応／非対応によって『ＶｏＩＰ（Ｖｏｉｃｅ  ｏｖｅｒ  ＩＰ）専用モード』、『回線交換専用モード』、『ＶｏＩＰ優先モード』、『回線交換優先モード』の４つの待ち受けモードを設定することができる。これらの４つの待ち受けモードの選択により、通話品質、低消費電力化、低コスト化などのトレードオフをおこなう。
【００３４】
（ＶｏＩＰ専用モード）
まず、ＶｏＩＰ専用モードについて説明する。図２は、ＶｏＩＰ専用モードの状態遷移を示す図表である。ＶｏＩＰ専用モードとは、外付けＷＡＮ用インターフェース１０８の着脱の有無や音声直接通話対応／非対応に関わらず、ＶｏＩＰにより通話（発着信）をおこなうための待ち受けモードである。
【００３５】
すなわち、ＶｏＩＰ専用モードは、ＶｏＩＰの継続利用による内蔵無線ＬＡＮインターフェース１０７と外付けＷＡＮ用インターフェース１０８のローミングと、無線ＬＡＮやパケット網などの公衆無線網を使用することでコストの低下を実現する待ち受けモードである。図２に示すように、ＶｏＩＰ専用モードでは、無線ＬＡＮ圏内である場合、公衆無線網の圏内外に関わらず内蔵無線ＬＡＮインターフェース１０７を用いてＶｏＩＰにより通話（発着信）をおこなう。
【００３６】
一方、無線ＬＡＮ圏外で、かつ公衆無線網圏内の場合には、公衆無線網を介して、音声直接通話対応の外付けＷＡＮ用インターフェース１０８ａを用いてＶｏＩＰにより通話（発着信）をおこなう。なお、無線ＬＡＮ圏外で、かつ公衆無線網圏内の場合において、外付けＷＡＮ用インターフェース１０８ｂが未装着または抜脱された場合、音声通話非対応の外付けＷＡＮ用インターフェース１０８ｂが装着されている場合には、通話（発着信）ができないこととなる。
【００３７】
また、無線ＬＡＮおよび公衆無線網の両方の圏外の場合も、通話（発着信）はできない。ＶｏＩＰ専用モードでは、シームレスローミング機能を利用することにより、ネットワークを、無線ＬＡＮから公衆無線網、または公衆無線網から無線ＬＡＮへ切り換えてＶｏＩＰを切断することなく継続することができる。なお、無線ＬＡＮ圏外では、公衆無線網を接続した状態であるため、消費電力が増加してしまう。したがって、状態遷移によって省電力化を図るシステムを導入する。このシステムについては後述する。
【００３８】
（回線交換専用モード）
つぎに、回線交換専用モードについて説明する。図３は、回線交換専用モードの状態遷移を示す図表である。回線交換専用モードとは、無線ＬＡＮを一切使用せず、公衆無線網の回線交換による音声のみを使用して通話（発着信）をおこなう待ち受けモードである。すなわち、回線交換専用モードは、無線ＬＡＮ機能を停止させて省電力化を図り、通話品質も向上させる待ち受けモードである。図３に示すように、公衆無線網圏内である場合、無線ＬＡＮ圏内外に関わらず、公衆無線網により通話（発着信）をおこなう。
【００３９】
一方、公衆無線網圏外の場合には、通話（発着信）をおこなうことができない。回線交換専用モードでは、無線ＬＡＮを使用しないため、内蔵無線ＬＡＮインターフェース１０７への電力の供給を停止することができ、最も省電力化を図ることができる。なお、回線交換専用モードでは、公衆無線網のみを使用するため、無線ＬＡＮを使用した場合に比べて通話料金が増大してしまうが、ＶｏＩＰよりも通話品質がよいため、通話品質を重視する場合に用いるのが好ましい。
【００４０】
（ＶｏＩＰ優先モード）
つぎに、ＶｏＩＰ優先モードについて説明する。図４は、ＶｏＩＰ優先モードの状態遷移を示す図表である。ＶｏＩＰ優先モードとは、無線ＬＡＮと公衆無線網の両方の音声通話網で待ち受けをおこなう待ち受けモードである。これにより、音声通話電話への到達性が向上する。すなわち、ＶｏＩＰ優先モードは、内蔵無線ＬＡＮインターフェース１０７と外付けＷＡＮ用インターフェース１０８の両方で待ち受けをし、いつでもどこでも通話可能にし、通話品質と消費電力とコストのトレードオフを実現する待ち受けモードであり、電話を掛けるときにＶｏＩＰ（低コスト化）を優先する。
【００４１】
図４に示すように、無線ＬＡＮ圏内でかつ公衆無線網圏内である場合、内蔵無線ＬＡＮインターフェース１０７と外付けＷＡＮ用インターフェース１０８ａの両方の音声通話インターフェースで待ち受け（着信）をおこなう。発信する場合には、内蔵無線ＬＡＮインターフェース１０７を用いてＶｏＩＰにより発信する。
【００４２】
また、無線ＬＡＮ圏内でかつ公衆無線網圏外である場合、内蔵無線ＬＡＮインターフェース１０７を用いてＶｏＩＰにより通話（発着信）をおこなう。一方、無線ＬＡＮ圏外でかつ公衆無線網圏内である場合、外付けＷＡＮ用インターフェース１０８ａを用いて、回線交換により音声通話を用いる。また、無線ＬＡＮおよび公衆無線網の圏外の場合には、通話（発着信）はできない。
【００４３】
このＶｏＩＰ優先モードでは、無線ＬＡＮ圏内である場合、内蔵無線ＬＡＮインターフェース１０７を用いて発着信の待ち受けをおこなうことができる。さらに、公衆無線網圏内である場合、発信の待ち受けに関しては、内蔵無線ＬＡＮインターフェース１０７のみを用いて待ち受けをおこなうことができる。また、着信の待ち受けに関しては、外付けＷＡＮ用インターフェース１０８ａを用いた回線交換による着信の待ち受けもおこなうことができる。
【００４４】
このように、無線ＬＡＮのＶｏＩＰを優先的に使用することにより、低コストでの通話を実現することができる。一方、無線ＬＡＮ圏外である場合、公衆無線網の回線交換による音声通話ができ、低消費電力で発着信の待ち受けをおこなうことができる。すなわち、ＶｏＩＰ優先モードは、通話品質よりも通話料金低減を優先した待ち受けモードである。
【００４５】
（回線交換優先モード）
つぎに、回線交換優先モードについて説明する。図５は、回線交換優先モードの状態遷移を示す図表である。回線交換優先モードとは、ＶｏＩＰ優先モードと同様に、無線ＬＡＮと公衆無線網の両方の音声通話網で待ち受けをおこなう待ち受けモードである。これにより、音声通話電話への到達性が向上する。
【００４６】
すなわち、回線交換優先モードは、内蔵無線ＬＡＮインターフェース１０７と外付けＷＡＮ用インターフェース１０８の両方で待ち受けをし、いつでもどこでも通話可能にし、通話品質と消費電力とコストのトレードオフを実現する待ち受けモードであり、電話を掛けるときに、外付けＷＡＮ用インターフェース１０８による回線交換での音声通話を優先（通話品質や消費電力を優先する）する。
【００４７】
図５に示すように、無線ＬＡＮ圏内でかつ公衆無線網圏内である場合、内蔵無線ＬＡＮインターフェース１０７と外付けＷＡＮ用インターフェース１０８ａの両方の音声通話インターフェースで待ち受け（着信）をおこなう。そして、発信する場合には、外付けＷＡＮ用インターフェース１０８ａを用いて回線交換によりおこなう。その他は、図４に示したＶｏＩＰ優先モードの状態遷移と同様のため、説明を省略する。
【００４８】
この回線交換優先モードでは、公衆無線網圏内である場合、外付けＷＡＮ用インターフェース１０８ａを用いて発着信の待ち受けをおこなうことができる。さらに、無線ＬＡＮ圏内である場合、発信の待ち受けに関しては、外付けＷＡＮ用インターフェース１０８ａのみを用いて待ち受けをおこなうことができる。また、着信の待ち受けに関しては、内蔵無線ＬＡＮインターフェース１０７を用いたＶｏＩＰによる着信の待ち受けもおこなうことができる。
【００４９】
このように、公衆無線網の回線交換を優先的に使用することにより、通話品質の高い通話を実現することができる。一方、公衆無線網圏外である場合、無線ＬＡＮのＶｏＩＰによる音声通話ができ、低コストで発着信の待ち受けをおこなうことができる。すなわち、回線交換優先モードは、通話料金低減よりも通話品質を優先した待ち受けモードである。
【００５０】
つぎに、外付けＷＡＮ用インターフェース１０８の種類によって利用できる待ち受けモードについて説明する。図６は、外付けＷＡＮ用インターフェース１０８の種類によって利用できる待ち受けモードを示す図表である。上述したように、外部ＷＡＮ用インターフェース１０８の着脱の有無や音声直接通話対応／非対応に応じて、利用できる待ち受けモードがそれぞれ異なる。外付けＷＡＮ用インターフェース１０８としては、回線交換による音声通話のみ可能なカード、回線交換による音声通話およびデータ通信が可能なカード、データ通信のみ可能なカードなどがある。
【００５１】
図６において、外付けＷＡＮ用インターフェース１０８が未装着の場合、ＶｏＩＰ専用モードのみを利用することができる。また、内蔵無線ＬＡＮインターフェース１０７のほか、公衆無線網による音声通話に対応している外付けＷＡＮ用インターフェース１０８ａが装着されている場合、図２〜図５に示したすべての待ち受けモードを利用することができる。また、公衆無線網による音声通話に対応していない外付けＷＡＮ用インターフェース１０８ｂが装着されている場合、ＶｏＩＰ専用モードのみを利用することができる。
【００５２】
このように、装着された外付けＷＡＮ用インターフェース１０８が音声直接通話機能を有しているかを判別することによって、４つの待ち受けモードすべてを選択することができるか、あるいはＶｏＩＰ専用モードしか選択できないかを判別することもできる。
【００５３】
また、待ち受けモードを選択において、ユーザの嗜好を設定し、ユーザの嗜好に基づいて待ち受けモードの自動設定をすることも可能である。具体的には、たとえば、ユーザがローミング優先と考えていれば、ＶｏＩＰ専用モードを、また、低消費電力を優先と考えていれば回線交換優先モードを自動的に設定することもできる。
【００５４】
（音声通話装置の機能的構成）
つぎに、この発明の実施の形態にかかる音声通話装置の機能的構成について説明する。図７は、この発明の実施の形態にかかる音声通話装置７００の機能的構成を示すブロック図である。図７において、音声通話装置７００は、検出部７０１と、判別部７０２と、設定部７０３と、判定部７０４と、制御部７０５と、選択部７０６と、取得部７０７と、から構成されており、無線ＬＡＮに接続する無線ＬＡＮインターフェースを用いて音声通話をおこなう。
【００５５】
まず、検出部７０１は、装置本体に着脱可能な他のインターフェースの着脱を検出する。具体的には、たとえば、他のインターフェースとして、図１に示した外付けＷＡＮ用インターフェース１０８のカードスロット１０９への装着／未装着（または抜脱）を検出する。
【００５６】
また、判別部７０２は、検出部７０１によって検出された外付けインターフェースが公衆回線網の音声通話インターフェース、すなわち音声通話対応のインターフェースであるか否かを検出する。具体的には、カードスロット１０９に差し込まれた外付けＷＡＮ用インターフェース１０８からの識別信号および装置内部に保持する設定情報により、外付けＷＡＮ用インターフェース１０８が音声通話対応の外付けＷＡＮ用インターフェース１０８ａか、音声通話非対応（データ通信専用）の外付けＷＡＮ用インターフェース１０８ｂか否かを判別する。
【００５７】
また、設定部７０３は、検出部７０１によって検出された検出結果または判別部７０２によって判別された判別結果に基づいて、内蔵無線ＬＡＮインターフェース１０７または外付けＷＡＮ用インターフェース１０８のうち少なくともいずれか一つの音声通話インターフェースを用いて音声通話の発着信の待ち受けをおこなう待ち受けモードを設定する。この待ち受けモードとは、具体的には、たとえば、図２〜図５に示したＶｏＩＰ専用モード、回線交換専用モード、ＶｏＩＰ優先モード、回線交換優先モードの４つの待ち受けモードから選ばれた待ち受けモードである。
【００５８】
具体的には、外付けＷＡＮ用インターフェース１０８が未装着（または抜脱）の場合、音声通話装置７００は、内蔵無線ＬＡＮインターフェース１０７でしか音声通話ができないこととなる。したがって、この場合は、無条件で、図２に示したＶｏＩＰ専用モードに設定される。
【００５９】
また、カードスロット１０９に装着された外付けＷＡＮ用インターフェース１０８が音声通話非対応の外付けＷＡＮ用インターフェース１０８ｂである場合は、音声通話装置７００は、内蔵無線ＬＡＮインターフェース１０７もしくは外付けＷＡＮインターフェース１０８ｂのデータモードを用いたＶｏＩＰでしか音声通話ができないこととなる。したがって、この場合は、無条件で、図２に示したＶｏＩＰ専用モードに設定される。
【００６０】
一方、カードスロット１０９に装着された外付けＷＡＮ用インターフェース１０８が音声通話対応の外付けＷＡＮ用インターフェース１０８ａである場合、内蔵無線ＬＡＮインターフェース１０７を用いたＶｏＩＰによる音声通話の待ち受けと、外付けＷＡＮ用インターフェース１０８ａを用いた回線交換による音声通話の待ち受けとをおこなうことができる。したがって、この場合には、ユーザの手動選択操作または音声通話装置７００の自動選択処理により、ＶｏＩＰ専用モード、回線交換専用モード、ＶｏＩＰ優先モード、回線交換優先モードの４つの待ち受けモードから選択することができる。
【００６１】
また、判定部７０４は、設定部７０３によってＶｏＩＰ専用モードに設定された場合、無線ＬＡＮと公衆回線網のうちいずれの音声通話網圏内にあるかを判定する。また、制御部７０５は、判定部７０４によって無線ＬＡＮの圏外であると判定された場合、内蔵無線ＬＡＮインターフェース１０７への電源供給を停止するように制御する。
【００６２】
具体的には、ＶｏＩＰ専用モードでは、上述したように、回線交換を利用せずすべてＶｏＩＰにより待ち受けをおこなうが、公衆無線網圏内外にかかわらず無線ＬＡＮ圏内の場合、内蔵無線ＬＡＮインターフェース１０７を用いたＶｏＩＰによる待ち受けをおこなう。
【００６３】
一方、無線ＬＡＮ圏外でかつ公衆無線網圏内に限り、外付けＷＡＮ用インターフェース１０８ａを用いたＶｏＩＰによる待ち受けをおこなう。すなわち、無線ＬＡＮ圏外でかつ公衆無線網圏内の場合、内蔵無線ＬＡＮインターフェース１０７を使用しないため、無線ＬＡＮ圏外であると判定した場合、制御部７０５は、電源１００から内蔵無線ＬＡＮインターフェース１０７への電源供給を停止する制御をおこなう。これにより、省電力化を図ることができる。
【００６４】
同様に、判定部７０４は、設定部７０３によってＶｏＩＰ／回線交換両用モード（ＶｏＩＰ優先モードまたは回線交換優先モード）に設定された場合、無線ＬＡＮと公衆回線網のうちいずれの音声通話網圏内にあるかを判定する。そして、制御部７０５は、判定部７０４によって無線ＬＡＮの圏外であると判定された場合、内蔵無線ＬＡＮインターフェース１０７への電源供給を停止するように制御する。
【００６５】
具体的には、ＶｏＩＰ優先モードでは、上述したように、公衆無線網圏内外にかかわらず無線ＬＡＮ圏内の場合、内蔵無線ＬＡＮインターフェース１０７を用いたＶｏＩＰによる発着信の待ち受けをおこなう。さらに、公衆無線網圏内でもある場合、外付けＷＡＮ用インターフェース１０８ａを用いた回線交換方式による待ち受けをおこなう。
【００６６】
一方、ＶｏＩＰ優先モードでは、無線ＬＡＮ圏外でかつ公衆無線網圏内に限り、外付けＷＡＮ用インターフェース１０８ａを用いた回線交換方式による待ち受けをおこなう。すなわち、無線ＬＡＮ圏外でかつ公衆無線網圏内の場合、内蔵無線ＬＡＮインターフェース１０７を使用しないため、無線ＬＡＮ圏外であると判定した場合、制御部７０５は、電源１００から内蔵無線ＬＡＮインターフェース１０７への電源供給を停止する制御をおこなう。これにより、省電力化を図ることができる。
【００６７】
また、回線交換優先モードでは、上述したように、無線ＬＡＮ圏内外にかかわらず公衆無線網圏内の場合、外付けＷＡＮ用インターフェース１０８ａを用いた回線交換方式による待ち受けをおこなう。さらに、無線ＬＡＮ圏内でもある場合、内蔵無線ＬＡＮインターフェース１０７を用いたＶｏＩＰによる着信の待ち受けをおこなう。
【００６８】
すなわち、無線ＬＡＮ圏外でかつ公衆無線網圏内の場合、内蔵無線ＬＡＮインターフェース１０７を使用しないため、無線ＬＡＮ圏外であると判定した場合、制御部７０５は、電源１００から内蔵無線ＬＡＮインターフェース１０７への電源供給を停止する制御をおこなう。これにより、省電力化を図ることができる。
【００６９】
また、選択部７０６は、ＶｏＩＰ専用モード、回線交換専用モード、ＶｏＩＰ優先モード、回線交換優先モードの４つの待ち受けモードの中のいずれか一つの待ち受けモードの選択を受け付ける。具体的には、たとえば、ユーザが図１に示した操作ボタン１０３を操作することにより、ユーザが選んだ待ち受けモードを設定することができる。
【００７０】
また、取得部７０７は、装置本体の使用状況に関する情報を取得する。使用状況に関する情報としては、装置本体の電池残量、通話料金の課金超過の有無、重要通話先のユーザ操作選択などが挙げられる。この場合、選択部７０６は、ＶｏＩＰ専用モード、回線交換専用モード、ＶｏＩＰ優先モード、回線交換優先モードの中から、取得部７０７によって取得された使用状況に関する情報に応じた待ち受けモードを自動選択する。
【００７１】
たとえば、電池残量が所定量以下であると判断された場合、回線交換専用モードを自動選択する。これにより、省電力化を図ることができ、使用途中での電池切れを極力回避することができる。また、通話料金が課金超過であると判断された場合、ＶｏＩＰ専用モードを自動選択する。これにより、通話コストの増加を自動的に低減することができる。また、重要通話先を選択した場合、回線交換優先モードを自動選択する。これにより、重要通話先に対して通話品質のよい音声通話を自動的におこなうことができる。
【００７２】
なお、上述した検出部７０１と、判別部７０２と、設定部７０３と、判定部７０４と、制御部７０５と、選択部７０６と、取得部７０７と、は、具体的には、たとえば、図１に示したメモリ１０２に記録されたプログラムを、ＣＰＵ１０１が実行することによってその機能を実現する。
【００７３】
（音声通話処理）
つぎに、この発明の実施の形態にかかる音声通話処理について説明する。図８は、この発明の実施の形態にかかる音声通話処理手順を示すフローチャートである。図８において、まず、電源ＯＮになるのを待ち（ステップＳ８０１：Ｎｏ）、電源ＯＮになった場合（ステップＳ８０１：Ｙｅｓ）、外付けＷＡＮ用インターフェース１０８が装着されているかを判断する（ステップＳ８０２）。
【００７４】
外付けＷＡＮ用インターフェース１０８が装着されていない場合（ステップＳ８０２：Ｎｏ）、ＶｏＩＰ専用モードによる待ち受け状態設定処理をおこなう（ステップＳ８０３）。これにより、一連の処理を終了する。一方、外付けＷＡＮ用インターフェース１０８が装着されている場合（ステップＳ８０２：Ｙｅｓ）、装着された外付けＷＡＮ用インターフェース１０８が音声直接通話対応かを判断する（ステップＳ８０４）。音声直接通話非対応である場合（ステップＳ８０４：Ｎｏ）、ステップＳ８０３に移行して、図２に示したＶｏＩＰ専用モードによる待ち受け状態設定処理をおこなう。
【００７５】
一方、装着された外付けＷＡＮ用インターフェース１０８が音声直接通話対応である場合（ステップＳ８０４：Ｙｅｓ）、待ち受けモード自動選択ＯＮであるか否かを判断する（ステップＳ８０５）。自動選択ＯＦＦである場合（ステップＳ８０５：Ｎｏ）、ユーザの手動操作により、どの待ち受けモードが選択されたか否かを判断する（ステップＳ８０６）。
【００７６】
そして、ステップＳ８０６において、ＶｏＩＰ専用モードが選択された場合（ステップＳ８０６：ＶｏＩＰ専用）、図２に示したＶｏＩＰ専用モードによる待ち受け状態設定処理をおこなう（ステップＳ８０３）。また、回線交換専用モードが選択された場合（ステップＳ８０６：回線交換専用）、図３に示した回線交換専用モードによる待ち受け状態設定処理をおこなう（ステップＳ８０７）。
【００７７】
ＶｏＩＰ優先モードが選択された場合（ステップＳ８０６：ＶｏＩＰ優先）、図４に示したＶｏＩＰ優先モードによる待ち受け状態設定処理をおこなう（ステップＳ８０８）。また、回線交換優先モードが選択された場合（ステップＳ８０６：回線交換優先）、図５に示した回線交換優先モードによる待ち受け状態設定処理をおこなう（ステップＳ８０９）。そして、これらにより一連の処理を終了する。
【００７８】
また、ステップＳ８０５において、待ち受けモード自動設定がＯＮである場合（ステップＳ８０５：Ｙｅｓ）、待ち受けモードの自動選択処理をおこない（ステップＳ８１０）、その自動選択内容に応じた待ち受けモードによる待ち受け状態設定処理をおこなう（ステップＳ８０３、ステップＳ８０７〜Ｓ８０９）。そして、これらにより一連の処理を終了する。また、電源ＯＮ以外にも外付けＷＡＮインターフェース１０８が着脱されたときにも図８と同じ処理をするということは後述する。
【００７９】
（待ち受けモード自動選択処理）
つぎに、図８に示したステップＳ８１０の待ち受けモード自動選択処理手順について説明する。図９は、待ち受けモード自動選択処理手順を示すフローチャートである。図８において、待ち受けモード自動選択がＯＮである場合（ステップＳ８０５：Ｙｅｓ）、電池残量が所定量以下か否かを判断する（ステップＳ９０１）。
【００８０】
電池残量が所定量以下の場合（ステップＳ９０１：Ｙｅｓ）、図３に示した回線交換専用モード設定処理をおこなう（ステップＳ８０７）。一方、所定量より多い場合（ステップＳ９０１：Ｎｏ）、通話料金が課金超過か否かを判断する（ステップＳ９０２）。課金超過である場合（ステップＳ９０２：Ｙｅｓ）、図２に示したＶｏＩＰ専用モード設定処理をおこなう（ステップＳ８０３）。
【００８１】
一方、課金超過でない場合（ステップＳ９０２：Ｎｏ）、重要通話先が選択されたかを判断する（ステップＳ９０３）。重要通話先が選択された場合（ステップＳ９０３：Ｙｅｓ）、図５に示した回線交換優先モード設定処理をおこなう（ステップＳ８０９）。一方、重要通話先が選択されていない場合（ステップＳ９０３：Ｎｏ）、ステップＳ８０６に移行して、ユーザの手動選択操作を受け付ける。
【００８２】
このように、図９に示した待ち受けモード自動選択処理によれば、音声通話装置７００の使用状況に応じた待ち受けモードに自動設定することができるため、現在どの待ち受けモードが有効であるかをユーザが考えたり、待ち受けモードの手動選択操作といった煩わしさを解消することができる。
【００８３】
（ＶｏＩＰ専用モード設定処理）
つぎに、ＶｏＩＰ専用モード設定処理について説明する。図１０−１〜図１０−３は、ＶｏＩＰ専用モード設定処理手順を示すフローチャートである。図１０−１において、まず、通常消費電力モードから省電力モード（Ａ）に設定し（ステップＳ１００１）、無線ＬＡＮ圏内かを判定する（ステップＳ１００２）。省電力モード（Ａ）については後述する。
【００８４】
無線ＬＡＮ圏内である場合（ステップＳ１００２：Ｙｅｓ）、無線ＬＡＮのアソシエーションを確立し（ステップＳ１００３）、装置本体に登録されているユーザの電話番号や電子メールアドレスなどをＳＩＰ（Ｓｅｓｓｉｏｎ  Ｉｎｉｔｉａｔｉｏｎ  Ｐｒｏｔｏｃｏｌ）サーバに登録する（ステップＳ１００４）。これにより、無線ＬＡＮを介して、内蔵無線ＬＡＮインターフェース１０７を用いたＶｏＩＰによる発着信の待ち受け状態を設定することができる。
【００８５】
一方、ステップＳ１００２において、無線ＬＡＮ圏外である場合（ステップＳ１００２：Ｎｏ）、省電力モード（Ａ）から省電力モード（Ｂ）に設定し（ステップＳ１００５）、公衆無線網圏内か否かを判定する（ステップＳ１００６）。省電力モード（Ｂ）については後述する。公衆無線網圏外である場合（ステップＳ１００６：Ｎｏ）、ステップＳ１００１に移行して、省電力モード（Ａ）に設定する。
【００８６】
一方、公衆無線網圏内である場合（ステップＳ１００６：Ｙｅｓ）、ＰＰＰ（Ｐｏｉｎｔ  ｔｏ  Ｐｏｉｎｔ  Ｐｒｏｔｏｃｏｌ）リンクを確立し（ステップＳ１００７）、装置本体に登録されているユーザの電話番号や電子メールアドレスなどをＳＩＰサーバに登録する（ステップＳ１００８）。これにより、公衆無線網を介して、外付けＷＡＮ用インターフェース１０８ａを用いたＶｏＩＰによる発着信の待ち受けをおこなうことができる。
【００８７】
つぎに、ステップＳ１００４のあと、図１０−２において、無線ＬＡＮ圏内であるか否かを判定する（ステップＳ１００９）。無線ＬＡＮ圏外である場合（ステップＳ１００９：Ｎｏ）、図１０−１に示したステップＳ１００６に移行して、公衆無線網圏内か否かを判定する。
【００８８】
一方、無線ＬＡＮ圏内であると判定された場合（ステップＳ１００９：Ｙｅｓ）、ＶｏＩＰによる発着信があるかを判断する（ステップＳ１０１０）。発着信がある場合（ステップＳ１０１０：Ｙｅｓ）、省電力モード（Ａ）においてＣＰＵ１０１を通常消費電力モードに切り替える（ステップＳ１０１１）。
【００８９】
そして、ＶｏＩＰ通話の終了を待ち（ステップＳ１０１２：Ｎｏ）、通話終了した場合（ステップＳ１０１２：Ｙｅｓ）、ＣＰＵ１０１をスリープモードに切り替えて（ステップＳ１０１３）、ステップＳ１００９に移行する。このように、発着信がある場合にのみ、ＣＰＵ１０１を通常消費電力モードに切り替えて、発着信がない場合には、スリープモードとしておくことにより、消費電力の低減化を図ることができる。
【００９０】
また、ステップＳ１０１０において、ＶｏＩＰの発着信がない場合（ステップＳ１０１０：Ｎｏ）、電源ＯＦＦになったか否かを判断する（ステップＳ１０１４）。電源ＯＦＦになった場合（ステップＳ１０１４：Ｙｅｓ）、一連の処理を終了する。一方、電源ＯＮである場合（ステップＳ１０１４：Ｎｏ）、外付けＷＡＮ用インターフェース１０８ａが抜脱されたかを判断する（ステップＳ１０１５）。抜脱された場合（ステップＳ１０１５：Ｙｅｓ）、図８に示したステップＳ８０２に移行する。
【００９１】
一方、抜脱されていない場合（ステップＳ１０１５：Ｎｏ）、待ち受けモード設定入力があったかを判断する（ステップＳ１０１６）。ここで、待ち受けモード設定入力とは、ステップＳ８０５の待ち受けモード自動選択のＯＮ／ＯＦＦ操作入力、またはステップＳ８０６の待ち受けモードの手動操作選択入力である。待ち受けモード設定入力がない場合（ステップＳ１０１６：Ｎｏ）、ステップＳ１００９に移行して、ＶｏＩＰによる発着信の待ち受けを継続する。一方、設定入力があった場合（ステップＳ１０１６：Ｙｅｓ）、ステップＳ８０５に移行する。
【００９２】
また、図１０−１に示したステップＳ１００８のあと、図１０−３において、公衆無線網圏内であるか否かを判定する（ステップＳ１０１７）。公衆無線網圏外である場合（ステップＳ１０１７：Ｎｏ）、図１０−１に示したステップＳ１００１に移行して、省電力モード（Ａ）に設定する。
【００９３】
一方、公衆無線網圏内であると判定された場合（ステップＳ１０１７：Ｙｅｓ）、ＶｏＩＰによる発着信があるかを判断する（ステップＳ１０１８）。発着信がある場合（ステップＳ１０１８：Ｙｅｓ）、省電力モード（Ｂ）においてＣＰＵ１０１を通常消費電力モードに切り替える（ステップＳ１０１９）。
【００９４】
そして、ＶｏＩＰ通話の終了を待ち（ステップＳ１０２０：Ｎｏ）、通話終了した場合（ステップＳ１０２０：Ｙｅｓ）、ＣＰＵ１０１をスリープモードに切り替えて（ステップＳ１０２１）、ステップＳ１０１７に移行する。このように、発着信がある場合にのみ、ＣＰＵ１０１を通常消費電力モードに切り替えて、発着信がない場合には、スリープモードとしておくことにより、消費電力の低減化を図ることができる。
【００９５】
また、ステップＳ１０１８において、ＶｏＩＰの発着信がない場合（ステップＳ１０１８：Ｎｏ）、電源ＯＦＦになったか否かを判断する（ステップＳ１０２２）。電源ＯＦＦになった場合（ステップＳ１０２２：Ｙｅｓ）、一連の処理を終了する。一方、電源ＯＮである場合（ステップＳ１０２２：Ｎｏ）、外付けＷＡＮ用インターフェース１０８ａが抜脱されたかを判断する（ステップＳ１０２３）。抜脱された場合（ステップＳ１０２３：Ｙｅｓ）、図８に示したステップＳ８０２に移行する。
【００９６】
一方、抜脱されていない場合（ステップＳ１０２３：Ｎｏ）、待ち受けモード設定入力があったかを判断する（ステップＳ１０２４）。待ち受けモード設定入力がない場合（ステップＳ１０２４：Ｎｏ）、ステップＳ１０１７に移行して、ＶｏＩＰによる発着信の待ち受けを継続する。一方、設定入力があった場合（ステップＳ１０２４：Ｙｅｓ）、ステップＳ８０５に移行する。
【００９７】
このＶｏＩＰ専用モード設定処理によれば、シームレスローミング機能を利用することにより、ネットワークを、無線ＬＡＮから公衆無線網、または公衆無線網から無線ＬＡＮへ切り換えて、ＶｏＩＰを切断することなく継続することができる。このように、ＶｏＩＰ専用モードを利用して、ＶｏＩＰにより発着信を待ち受けることによって、通話料金の低廉化を図ることができる。
【００９８】
つぎに、図１０−１に示した省電力モード（Ａ）について説明する。図１１は、省電力モード（Ａ）の動作を示すタイミングチャートである。なお、以下図１１、図１２、および図１４の説明において、ラインが上側にあるタイミングでは、図１に示したＣＰＵ１０１は通常消費電力モード（通常消費電力状態）となり、ラインが下側にあるタイミングではＣＰＵ１０１はスリープモード（低消費電力状態）となる。
【００９９】
また、ここでは、着信の待ち受け処理について説明するが、発信時には、ＣＰＵ１０１はスリープモードから通常消費電力モードに遷移する。さらに、無線ＬＡＮにより発信する場合には、内蔵無線ＬＡＮインターフェース１０７をＡｃｔｉｖｅ  Ｍｏｄｅ（通常のバースト通信モード）にして、公衆無線網により発信する場合には、外付けＷＡＮ用インターフェース１０８ａを通話状態にすることとなる。
【０１００】
図１１において、待ち受け状態では、ＣＰＵ１０１はスリープモードになっており、消費電力を低下させている。無線ＬＡＮ圏内では、内蔵無線ＬＡＮインターフェース１０７は間欠的に無線ＬＡＮからビーコン信号１１０１を受信する。このビーコン信号１１０１の受信タイミングと同時に内蔵無線ＬＡＮインターフェース１０７がＣＰＵ１０１に割り込みをかける（図１１中、符号１１０２）。
【０１０１】
ＣＰＵ１０１は、内蔵無線ＬＡＮインターフェース１０７の割り込みに従って起きあがり（図１１中、符号１１０３）、内蔵無線ＬＡＮインターフェース１０７がＶｏＩＰのパケットを受信したかを確認する（パケットチェック）。内蔵無線ＬＡＮインターフェース１０７がＶｏＩＰのパケットを受信した場合には、データ処理をおこなう。
【０１０２】
具体的には、たとえば、内蔵無線ＬＡＮインターフェース１０７を用いたＶｏＩＰによる発着信の場合、発着信した後にＣＰＵ１０１は通常消費電力モード、内蔵無線ＬＡＮインターフェース１０７はＡｃｔｉｖｅ  Ｍｏｄｅ（通常のバースト通信モード）に切り換えられて、ＶｏＩＰ通話をおこなう。一方、ビーコン信号１１０１の割り込みの時点でパケットを受信しなければ、ＣＰＵ１０１のタイマをリセットして（図１１中、符号１１０４）、ＣＰＵ１０１を再度スリープモードにする。そして、つぎの割り込みを待つ。
【０１０３】
この省電力モード（Ａ）によれば、無線ＬＡＮ圏内において常時ＣＰＵ１０１をスリープモードにしておき、スリープモード中に無線ＬＡＮからのビーコン信号１１０１を受信した場合にのみパケットの受信をチェックするため、ＣＰＵ１０１および内臓無線ＬＡＮインターフェース１０７の省電力化を図ることができる。
【０１０４】
つぎに、省電力モード（Ｂ）の動作について説明する。図１２は、省電力モード（Ｂ）の動作を示すタイミングチャートである。図１１に示したように、無線ＬＡＮ圏内では、ＣＰＵ１０１はビーコン信号１１０１の受信タイミングに同期して起きあがっていた。
【０１０５】
一方で、無線ＬＡＮ圏外に出てしまうと内蔵無線ＬＡＮインターフェース１０７は、ビーコン信号１１０１を受信することができなくなってしまい、Ａｃｔｉｖｅ  Ｍｏｄｅの状態が継続する。また、ビーコン信号１１０１による割り込みがなくなってしまうため、ＣＰＵ１０１はスリープモードになったまま内蔵無線ＬＡＮインターフェース１０７を制御することができず、内蔵無線ＬＡＮインターフェース１０７の消費電力が増加する。
【０１０６】
そのため、図１２では、無線ＬＡＮ圏外に出たと判定されると、ＣＰＵ１０１は内蔵無線ＬＡＮインターフェースへ１０７の電力の供給を停止し、ＣＰＵ１０１自身もスリープモードに陥る。そして、無線ＬＡＮ圏外では、タイマの割り込みに従ってＣＰＵ１０１が起きあがる。なお、図１１に示したように、ＣＰＵ１０１にビーコン信号１１０１による割り込みが発生すると、タイマはリセットをかけられるため、無線ＬＡＮ圏内では、タイマによる割り込みは発生しない。
【０１０７】
図１２に示すように、無線ＬＡＮ圏外においてタイマから割り込み信号が立ち上がると（図１２中、符号１２０１）、ＣＰＵはスリープモードから通常モードに起き上がる（図１２中、符号１２０２）。この通常モード中に、ＣＰＵ１０１は、内蔵無線ＬＡＮインターフェース１０７に一時的に電力の供給をして、無線ＬＡＮ圏内であるか圏外であるかを判断する。
【０１０８】
無線ＬＡＮ圏内の場合には、図１１に示したように、内蔵無線ＬＡＮインターフェース１０７をパワーセービングモードにして、無線ＬＡＮ圏内での処理をおこなう（図１２中、符号１２０３）。一方、無線ＬＡＮ圏外の場合には、ＣＰＵ１０１は、内蔵無線ＬＡＮインターフェース１０７への電力供給を停止してタイマをリセットする。
【０１０９】
これにより、ＣＰＵ１０１は再びスリープモードになり、タイマの割り込み信号１２０１を待つ。このように、無線ＬＡＮ圏内と無線ＬＡＮ圏外でのＣＰＵ１０１の起きあがりの動作を変えることによって、無線ＬＡＮ圏外における内蔵無線ＬＡＮインターフェース１０７への電力供給を停止して省電力化を図ることができる。
【０１１０】
（回線交換専用モード設定処理）
つぎに、回線交換専用モード設定処理手順について説明する。図１３は、回線交換専用モード設定処理手順を示すフローチャートである。まず、内蔵無線ＬＡＮインターフェース１０７への電力の供給を停止するように設定し（ステップＳ１３０１）、音声直接通話対応の外付けＷＡＮ用インターフェース１０８ａが抜脱されたか否かを判断する（ステップＳ１３０２）。
【０１１１】
外付けＷＡＮ用インターフェース１０８ａが抜脱された場合（ステップＳ１３０２：Ｙｅｓ）、図８に示したステップＳ８０２に移行する。一方、外付けＷＡＮ用インターフェース１０８ａが装着されている場合（ステップＳ１３０２：Ｎｏ）、待ち受けモード設定入力があったかを判断する（ステップＳ１３０３）。設定入力があった場合（ステップＳ１３０３：Ｙｅｓ）、図８に示したステップＳ８０５に移行する。
【０１１２】
一方、待ち受けモード設定入力がない場合（ステップＳ１３０３：Ｎｏ）、公衆無線網圏内であるか否かを判断する（ステップＳ１３０４）。公衆無線網圏外である場合（ステップＳ１３０４：Ｎｏ）、ステップＳ１３０２に移行する。一方、公衆回線網内である場合（ステップＳ１３０４：Ｙｅｓ）、外部ＷＡＮインターフェース１０８ａを音声モードに設定する（ステップＳ１３０５）。
【０１１３】
そして、省電力モード（Ｃ）に設定し（ステップＳ１３０６）、公衆無線網圏内であるか否かを判断する（ステップＳ１３０７）。省電力モード（Ｃ）については後述する。公衆無線網圏外である場合（ステップＳ１３０７：Ｎｏ）、ステップＳ１３０２に移行する。一方、公衆回線網内である場合（ステップＳ１３０７：Ｙｅｓ）、発着信ありか否かを判断する（ステップＳ１３０８）。
【０１１４】
発着信ありの場合（ステップＳ１３０８：Ｙｅｓ）、ＣＰＵ１０１を通常消費電力モードに切り替え（ステップＳ１３０９）、通話終了を待つ（ステップＳ１３１０：Ｎｏ）。通話が終了した場合（ステップＳ１３１０：Ｙｅｓ）、ＣＰＵ１０１をスリープモードに切り替えて（ステップＳ１３１１）、ステップＳ１３０７に移行して、回線交換による発着信を待ち受ける。このように、発着信がある場合にのみ、ＣＰＵ１０１を通常消費電力モードに切り替えて、発着信がない場合には、スリープモードとしておくことにより、消費電力の低減化を図ることができる。
【０１１５】
一方、ステップＳ１３０８において、発着信がない場合（ステップＳ１３０８：Ｎｏ）、電源ＯＦＦになったか否かを判断する（ステップＳ１３１２）。電源がＯＦＦになった場合（ステップＳ１３１２：Ｙｅｓ）、一連の処理を終了する。一方、電源ＯＮを維持している場合（ステップＳ１３１２：Ｎｏ）、外付けＷＡＮ用インターフェース１０８ａが抜脱されたかを判断する（ステップＳ１３１３）。抜脱された場合（ステップＳ１３１３：Ｙｅｓ）、図８に示したステップＳ８０２に移行する。一方、装着されている場合（ステップＳ１３１３：Ｎｏ）、待ち受けモード設定入力があったかを判断する（ステップＳ１３１４）。
【０１１６】
待ち受けモード設定入力があった場合（ステップＳ１３１４：Ｙｅｓ）、図８に示したステップＳ８０５に移行して、待ち受けモード自動選択のＯＮ／ＯＦＦを検出する。一方、待ち受けモード設定入力がない場合（ステップＳ１３１４：Ｎｏ）、ステップＳ１３０７に移行して、回線交換による発着信を待ち受ける。
【０１１７】
このように、回線交換専用モード設定処理によれば、無線ＬＡＮを一切使用せず、公衆無線網の回線交換による音声のみを使用して通話（発着信）をおこなうことができる。したがって、内蔵無線ＬＡＮインターフェース１０７への電力の供給を停止することができ、最も省電力化を図ることができる。また、回線交換のみを使用することで、通話品質の良い音声通話を常時おこなうことができる。
【０１１８】
つぎに、図１３に示したステップＳ１３０６の省電力モード（Ｃ）について説明する。図１４は、省電力モード（Ｃ）の動作を示すタイミングチャートである。ＰＨＳなどの公衆無線網の場合は、通常は待ち受け状態にあり、この待ち受け状態では消費電力はきわめて低い。図１４に示した公衆無線網の待ち受け中では、ＣＰＵ１０１はスリープモードであり（図１４中、符号１４０１）、低消費電力で待ち受けることができる。
【０１１９】
そして、公衆無線網から外付けＷＡＮ用インターフェース１０８ａに着信があると、公衆無線網は着信にあわせてＣＰＵ１０１に割り込みをして（図１４中、符号１４０２）、スリープモードのＣＰＵ１０１を起こして通常消費電力モードにする（図１４中、符号１４０３）。これにより、公衆無線網による通話可能状態となり、ＣＰＵ１０１は通常の着信処理をおこなう。
【０１２０】
この省電力モード（Ｃ）では、内蔵無線ＬＡＮインターフェース１０７を使用していないため、内蔵無線ＬＡＮインターフェース１０７への電力供給を停止することができる。また、ＣＰＵ１０１は、常時スリープモードで待ち受けており、公衆無線網の発着信がある場合にのみ通常消費電力モードに遷移するため、最も効率よく低消費電力化を図ることができる。
【０１２１】
（ＶｏＩＰ優先モード／回線交換優先モード設定処理）
つぎに、ＶｏＩＰ優先モード／回線交換優先モード設定処理について説明する。図１５−１〜図１５−４は、ＶｏＩＰ優先モード／回線交換優先モード設定処理手順を示すフローチャートである。
【０１２２】
なお、図１５−１は、ＶｏＩＰ優先モード／回線交換優先モードの待ち受け設定を示すフローチャートであり、図１５−２は、無線ＬＡＮ圏内でかつ公衆無線網圏内での待ち受けの状態遷移を示すフローチャートであり、図１５−３は、無線ＬＡＮ圏内でかつ公衆無線網圏外での待ち受けの状態遷移を示すフローチャートであり、図１５−４は、無線ＬＡＮ圏外でかつ公衆無線網圏内での待ち受けの状態遷移を示すフローチャートである。
【０１２３】
まず、無線ＬＡＮ圏内か否かを判断する（ステップＳ１５０１）。無線ＬＡＮ圏内である場合（ステップＳ１５０１：Ｙｅｓ）、図１１に示した省電力モード（Ａ）に設定し（ステップＳ１５０２）、無線ＬＡＮのアソシエーションを確立する（ステップＳ１５０３）。そして、装置本体に登録されているユーザの電話番号や電子メールアドレスなどをＳＩＰサーバに登録する（ステップＳ１５０４）。
【０１２４】
つぎに、公衆無線網圏内か否かを判断し（ステップＳ１５０５）、公衆無線網圏内である場合（ステップＳ１５０５：Ｙｅｓ）、外部ＷＡＮインターフェース１０８ａを音声モードに設定する（ステップＳ１５０６）。そして、図１４に示した省電力モード（Ｃ）に設定して（ステップＳ１５０７）、図１５−２に示すステップＳ１５１２に移行する。
【０１２５】
ここで、ＶｏＩＰ優先モードが選択されている場合、発信に関しては、内蔵無線ＬＡＮインターフェース１０７を用いた無線ＬＡＮのＶｏＩＰによる発信となる。また、着信に関しては、内蔵無線ＬＡＮインターフェース１０７を用いた無線ＬＡＮのＶｏＩＰによる待ち受け状態、および外付けＷＡＮ用インターフェース１０８ａを用いた公衆無線網の回線交換による待ち受け状態をおこなうことができる。
【０１２６】
一方、回線交換優先モードが選択されている場合、発信に関しては、外付けＷＡＮ用インターフェース１０８ａを用いた公衆無線網の回線交換による発信となる。また、着信に関しては、内蔵無線ＬＡＮインターフェース１０７を用いた無線ＬＡＮのＶｏＩＰによる待ち受け状態、および外付けＷＡＮ用インターフェース１０８ａを用いた公衆無線網の回線交換による待ち受けをおこなうことができる。
【０１２７】
また、ステップＳ１５０５において、公衆無線網圏外である場合（ステップＳ１５０５：Ｎｏ）、図１５−３に示すステップＳ１５２２に移行する。これにより、ＶｏＩＰ優先モードおよび回線交換優先モードのいずれの待ち受けモードが選択されている場合でも、外付けＷＡＮ用インターフェース１０８ａを用いた、公衆無線網の回線交換による発着信の待ち受けをおこなうことができる。
【０１２８】
また、ステップＳ１５０１において、無線ＬＡＮ圏外である場合（ステップＳ１５０１：Ｎｏ）、図１２に示した省電力モード（Ｂ）に設定し（ステップＳ１５０８）、公衆無線網圏内か否かを判断する（ステップＳ１５０９）。公衆無線網圏外である場合（ステップＳ１５０９：Ｎｏ）、ステップＳ１５０１に移行する。一方、公衆無線網圏内である場合（ステップＳ１５０９：Ｙｅｓ）、外部ＷＡＮインターフェース１０８ａを音声モードに設定する（ステップＳ１５１０）。そして、図１４に示した省電力モード（Ｃ）に設定し（ステップＳ１５１１）、図１５−４に示すステップＳ１５３２に移行する。
【０１２９】
これにより、ＶｏＩＰ優先モードおよび回線交換優先モードのいずれの待ち受けモードが選択されている場合でも、内蔵無線ＬＡＮインターフェース１０７を用いた無線ＬＡＮのＶｏＩＰによる発着信の待ち受けをおこなうことができる。
【０１３０】
また、図１５−２において、無線ＬＡＮ圏内か否かを判定する（ステップＳ１５１２）。無線ＬＡＮ圏外であると判定された場合（ステップＳ１５１２：Ｎｏ）、公衆無線網圏内か否かを判定する（ステップＳ１５１３）。公衆無線網圏内であると判定された場合（ステップＳ１５１３：Ｙｅｓ）、図１５−４に示すステップＳ１５３２に移行する。一方、公衆無線網圏外であると判定された場合（ステップＳ１５１３：Ｎｏ）、図１５−１に示したステップＳ１５０１に移行する。
【０１３１】
また、ステップＳ１５１２において、無線ＬＡＮ圏内であると判定された場合（ステップＳ１５１２：Ｙｅｓ）、公衆無線網圏内であるか否かを判定する（ステップＳ１５１４）。公衆無線網圏外であると判定された場合（ステップＳ１５１４：Ｎｏ）、図１５−３に示したステップＳ１５２２に移行する。
【０１３２】
一方、公衆無線網圏内であると判定された場合（ステップＳ１５１４：Ｙｅｓ）発着信があるか否かを判断する（ステップＳ１５１５）。発着信ありの場合（ステップＳ１５１５：Ｙｅｓ）、ＣＰＵ１０１を通常消費電力モードに切り替える（ステップＳ１５１６）。
【０１３３】
そして、通話終了を待ち（ステップＳ１５１７：Ｎｏ）、通話終了した場合（ステップＳ１５１７：Ｙｅｓ）、ＣＰＵ１０１をスリープモードに切り替えて（ステップＳ１５１８）、ステップＳ１５１２に移行して、発着信を待ち受ける。このように、発着信がある場合にのみ、ＣＰＵ１０１を通常消費電力モードに切り替えて、発着信がない場合には、スリープモードとしておくことにより、消費電力の低減化を図ることができる。
【０１３４】
また、ステップＳ１５１５において、発着信がない場合（ステップＳ１５１５：Ｎｏ）、電源がＯＦＦになったかを判断する（ステップＳ１５１９）。電源ＯＦＦになった場合（ステップＳ１５１９：Ｙｅｓ）、一連の処理を終了する。一方、電源ＯＮを維持している場合（ステップＳ１５１９：Ｎｏ）、外付けＷＡＮ用インターフェース１０８ａが抜脱されたか否かを判断する（ステップＳ１５２０）。抜脱された場合（ステップＳ１５２０：Ｎｏ）、図８に示したステップＳ８０２に移行する。
【０１３５】
一方、装着されている場合（ステップＳ１５２０：Ｎｏ）、待ち受けモード設定入力があったか否かを判断する（ステップＳ１５２１）。待ち受けモード設定入力があった場合（ステップＳ１５２１：Ｙｅｓ）、図８に示したステップＳ８０５に移行する。一方、待ち受けモード設定入力がない場合（ステップＳ１５２１：Ｎｏ）、ステップＳ１５１２に移行して、発着信の待ち受けを継続する。
【０１３６】
また、図１５−３において、無線ＬＡＮ圏内か否かを判定する（ステップＳ１５２２）。無線ＬＡＮ圏外であると判定された場合（ステップＳ１５２２：Ｎｏ）、公衆無線網圏内か否かを判定する（ステップＳ１５２３）。公衆無線網圏内であると判定された場合（ステップＳ１５２３：Ｙｅｓ）、図１５−１に示したステップＳ１５０８に移行して、省電力モード（Ｂ）に設定する。一方、公衆無線網圏外であると判定された場合（ステップＳ１５２３：Ｎｏ）、図１５−１に示したステップＳ１５０１に移行する。
【０１３７】
また、ステップＳ１５２２において、無線ＬＡＮ圏内であると判定された場合（ステップＳ１５２２：Ｙｅｓ）、公衆無線網圏内であるか否かを判定する（ステップＳ１５２４）。公衆無線網圏内であると判定された場合（ステップＳ１５２４：Ｙｅｓ）、図１５−１に示したステップＳ１５０６に移行して、外部ＷＡＮインターフェース１０８ａを音声モードに設定する。
【０１３８】
一方、公衆無線網圏外であると判定された場合（ステップＳ１５２４：Ｎｏ）、発着信があるか否かを判断する（ステップＳ１５２５）。発着信ありの場合（ステップＳ１５２５：Ｙｅｓ）、ＣＰＵ１０１を通常消費電力モードに切り替える（ステップＳ１５２６）。
【０１３９】
そして、通話終了を待ち（ステップＳ１５２７：Ｎｏ）、通話終了した場合（ステップＳ１５２７：Ｙｅｓ）、ＣＰＵ１０１をスリープモードに切り替えて（ステップＳ１５２８）、ステップＳ１５２２に移行して、発着信を待ち受ける。このように、発着信がある場合にのみ、ＣＰＵ１０１を通常消費電力モードに切り替えて、発着信がない場合には、スリープモードとしておくことにより、消費電力の低減化を図ることができる。
【０１４０】
また、ステップＳ１５２５において、発着信がない場合（ステップＳ１５２５：Ｎｏ）、電源がＯＦＦになったかを判断する（ステップＳ１５２９）。電源ＯＦＦになった場合（ステップＳ１５２９：Ｙｅｓ）、一連の処理を終了する。一方、電源ＯＮを維持している場合（ステップＳ１５２９：Ｎｏ）、外付けＷＡＮ用インターフェース１０８ａが抜脱されたか否かを判断する（ステップＳ１５３０）。抜脱された場合（ステップＳ１５３０：Ｙｅｓ）、図８に示したステップＳ８０２に移行する。
【０１４１】
一方、装着されている場合（ステップＳ１５３０：Ｎｏ）、待ち受けモード設定入力があったか否かを判断する（ステップＳ１５３１）。待ち受けモード設定入力があった場合（ステップＳ１５３１：Ｙｅｓ）、図８に示したステップＳ８０５に移行する。一方、待ち受けモード設定入力がない場合（ステップＳ１５３１：Ｎｏ）、ステップＳ１５２２に移行して、発着信の待ち受けを継続する。
【０１４２】
また、図１５−４において、公衆無線網圏内か否かを判定する（ステップＳ１５３２）。公衆無線網圏外であると判定された場合（ステップＳ１５３２：Ｎｏ）、無線ＬＡＮ圏内か否かを判定する（ステップＳ１５３３）。無線ＬＡＮ圏内であると判定された場合（ステップＳ１５３３：Ｙｅｓ）、図１５−１に示したステップＳ１５０２に移行して、省電力モード（Ａ）に設定する。一方、無線ＬＡＮ圏外であると判定された場合（ステップＳ１５３３：Ｎｏ）、図１５−１に示したステップＳ１５０１に移行する。
【０１４３】
また、ステップＳ１５３２において、公衆無線網圏内であると判定された場合（ステップＳ１５３２：Ｙｅｓ）、無線ＬＡＮ圏内であるか否かを判定する（ステップＳ１５３４）。無線ＬＡＮ圏圏内であると判定された場合（ステップＳ１５３４：Ｙｅｓ）、図１５−１に示したステップＳ１５０２に移行して、省電力モード（Ａ）に設定する。
【０１４４】
一方、無線ＬＡＮ圏圏外であると判定された場合（ステップＳ１５３４：Ｎｏ）、発着信があるか否かを判断する（ステップＳ１５３５）。発着信ありの場合（ステップＳ１５３５：Ｙｅｓ）、ＣＰＵ１０１を通常消費電力モードに切り替える（ステップＳ１５３６）。
【０１４５】
そして、通話終了を待ち（ステップＳ１５３７：Ｎｏ）、通話終了した場合（ステップＳ１５３７：Ｙｅｓ）、ＣＰＵ１０１をスリープモードに切り替えて（ステップＳ１５３８）、ステップＳ１５３２に移行して、発着信を待ち受ける。このように、発着信がある場合にのみ、ＣＰＵ１０１を通常消費電力モードに切り替えて、発着信がない場合には、スリープモードとしておくことにより、消費電力の低減化を図ることができる。
【０１４６】
また、ステップＳ１５３５において、発着信がない場合（ステップＳ１５３５：Ｎｏ）、電源がＯＦＦになったかを判断する（ステップＳ１５３９）。電源ＯＦＦになった場合（ステップＳ１５３９：Ｙｅｓ）、一連の処理を終了する。一方、電源ＯＮを維持している場合（ステップＳ１５３９：Ｎｏ）、外付けＷＡＮ用インターフェース１０８ａが抜脱されたか否かを判断する（ステップＳ１５４０）。抜脱された場合（ステップＳ１５４０：Ｙｅｓ）、図８に示したステップＳ８０２に移行する。
【０１４７】
一方、装着されている場合（ステップＳ１５４０：Ｎｏ）、待ち受けモード設定入力があったか否かを判断する（ステップＳ１５４１）。待ち受けモード設定入力があった場合（ステップＳ１５４１：Ｙｅｓ）、図８に示したステップＳ８０５に移行する。一方、待ち受けモード設定入力がない場合（ステップＳ１５４１：Ｎｏ）、ステップＳ１５３２に移行して、発着信の待ち受けを継続する。
【０１４８】
このＶｏＩＰ優先モード／回線交換優先モード設定処理によれば、無線ＬＡＮと公衆無線網の両方の音声通話網で待ち受けをおこなうことができる。すなわち、ＶｏＩＰ優先モードでは、無線ＬＡＮ圏内である場合、内蔵無線ＬＡＮインターフェース１０７を優先使用して通話（発着信）をおこなうため、低コストで通話することができる。一方、無線ＬＡＮ圏外である場合、公衆無線網の回線交換による音声通話ができ、低消費電力で発着信の待ち受けをおこなうことができる。
【０１４９】
また、回線交換優先モードでは、公衆無線網圏内である場合、外付けＷＡＮ用インターフェース１０８ａを優先使用して通話（発着信）の待ち受けをおこなうため、通話品質の高い通話を実現することができる。一方、公衆無線網圏外である場合、無線ＬＡＮのＶｏＩＰによる音声通話ができ、低コストで発着信の待ち受けをおこなうことができる。
【０１５０】
以上説明したように、この発明の実施の形態にかかる音声通話装置、音声通話方法、音声通話プログラム、および記録媒体によれば、通話品質、省電力化および通話コストのトレードオフを効率的に図ることができる。
【０１５１】
なお、本実施の形態で説明した音声通話方法は、予め用意されたプログラムをパーソナル・コンピュータやワークステーション等のコンピュータで実行することにより実現することができる。このプログラムは、ハードディスク、フレキシブルディスク、ＣＤ−ＲＯＭ、ＭＯ、ＤＶＤ等のコンピュータで読み取り可能な記録媒体に記録され、コンピュータによって記録媒体から読み出されることによって実行される。またこのプログラムは、インターネット等のネットワークを介して配布することが可能な伝送媒体であってもよい。
【０１５２】
（付記１）無線通信網に接続する第１の無線通信インターフェースを用いて音声通話をおこなう音声通話装置において、
装置本体に着脱可能な第２の無線通信インターフェースの着脱を検出する検出手段と、
前記検出手段によって検出された第２の無線通信インターフェースが公衆回線網に接続する音声通話対応のインターフェースであるか否かを判別する判別手段と、
前記検出手段によって検出された検出結果または前記判別手段によって判別された判別結果に基づいて、前記第１または第２の無線通信インターフェースのうち少なくともいずれか一つのインターフェースを用いて音声通話の発着信の待ち受けをおこなう待ち受けモードを設定する設定手段と、
を備えることを特徴とする音声通話装置。
【０１５３】
（付記２）前記設定手段は、
前記検出手段によって検出された検出結果または前記判別手段によって判別された判別結果に基づいて、前記待ち受けモードを、ＶｏＩＰ（Ｖｏｉｃｅ  ｏｖｅｒ  ＩＰ）のみにより発着信の待ち受けをおこなうＶｏＩＰ専用モードに設定することを特徴とする付記１に記載の音声通話装置。
【０１５４】
（付記３）前記設定手段は、
前記検出手段によって前記第２の無線通信インターフェースの未装着が検出された場合、または前記判別手段によって前記第２の無線通信インターフェースが前記公衆回線網に接続する音声通話対応のインターフェースでないと判別された場合、前記待ち受けモードを、前記ＶｏＩＰ専用モードに設定することを特徴とする付記２に記載の音声通話装置。
【０１５５】
（付記４）前記設定手段によって前記ＶｏＩＰ専用モードに設定された場合、前記無線通信網と前記公衆回線網のうちいずれの圏内にあるかを判定する判定手段と、
前記判定手段によって前記第１の無線通信網の圏外であると判定された場合、前記第１の無線通信インターフェースへの電源供給を停止するように制御する制御手段と、
を備えることを特徴とする付記２または３に記載の音声通話装置。
【０１５６】
（付記５）前記設定手段は、
前記判別手段によって前記第２の無線通信インターフェースが前記公衆回線網に接続する音声通話対応のインターフェースであると判別された場合、前記待ち受けモードを、回線交換方式のみにより発着信の待ち受けをおこなう回線交換専用モードに設定することを特徴とする付記１に記載の音声通話装置。
【０１５７】
（付記６）前記設定手段は、
前記判別手段によって前記第２の無線通信インターフェースが前記公衆回線網に接続する音声通話対応のインターフェースであると判別された場合、前記待ち受けモードを、ＶｏＩＰ（Ｖｏｉｃｅ  ｏｖｅｒ  ＩＰ）および回線交換方式により発着信の待ち受けをおこなうＶｏＩＰ／回線交換両用モードに設定することを特徴とする付記１に記載の音声通話装置。
【０１５８】
（付記７）前記設定手段によって前記ＶｏＩＰ／回線交換両用モードに設定された場合、前記無線通信網と前記公衆回線網のうちいずれの圏内にあるかを判定する判定手段を備え、
前記設定手段は、
前記判定手段によって前記無線通信網および前記公衆無線網圏内であると判定された場合、前記第１の無線通信インターフェースを用いて前記ＶｏＩＰにより発着信の待ち受けをおこなうとともに、前記第２の無線通信インターフェースを用いて前記回線交換方式により着信の待ち受けをおこなうことを特徴とする付記６に記載の音声通話装置。
【０１５９】
（付記８）前記設定手段によって前記ＶｏＩＰ／回線交換両用モードに設定された場合、前記第１の無線通信網と前記公衆回線網のうちいずれの圏内にあるかを判定する判定手段を備え、
前記設定手段は、
前記判定手段によって前記無線ＬＡＮおよび前記公衆無線網圏内であると判定された場合、前記第１の無線通信インターフェースを用いて前記ＶｏＩＰにより着信の待ち受けをおこなうとともに、前記第２の無線通信インターフェースを用いて前記回線交換方式により発着信の待ち受けをおこなうことを特徴とする付記６に記載の音声通話装置。
【０１６０】
（付記９）前記設定手段によって前記ＶｏＩＰ／回線交換両用モードに設定された場合、前記第１の無線通信網と前記公衆回線網のうちいずれの圏内にあるかを判定する判定手段と、
前記判定手段によって前記無線通信網の圏外であると判定された場合、前記第１の無線通信インターフェースへの電源供給を停止するように制御する制御手段と、
を備えることを特徴とする付記６〜８のいずれか一つに記載の音声通話装置。
【０１６１】
（付記１０）前記設定手段は、
前記待ち受けモードを、ＶｏＩＰ（Ｖｏｉｃｅ  ｏｖｅｒ  ＩＰ）のみにより発着信の待ち受けをおこなうＶｏＩＰ専用モードと、回線交換方式のみにより発着信の待ち受けをおこなう回線交換専用モードと、前記ＶｏＩＰおよび前記回線交換方式により発着信の待ち受けをおこなうＶｏＩＰ／回線交換両用モードとの中から選ばれた待ち受けモードを設定することを特徴とする付記１に記載の音声通話装置。
【０１６２】
（付記１１）さらに、前記ＶｏＩＰ専用モードと前記回線交換専用モードと前記ＶｏＩＰ／回線交換両用モードのうち、いずれかの待ち受けモードの選択を受け付ける選択手段を備え、
前記設定手段は、
前記待ち受けモードを、前記選択手段によって選択された待ち受けモードに設定することを特徴とする付記１０に記載の音声通話装置。
【０１６３】
（付記１２）前記装置本体の使用状況に関する情報を取得する取得手段と、
前記ＶｏＩＰ専用モードと前記回線交換専用モードと前記ＶｏＩＰ／回線交換両用モードの中から、前記取得手段によって取得された使用状況に関する情報に応じた待ち受けモードを選択する選択手段を備え、
前記設定手段は、
前記待ち受けモードを、前記選択手段によって選択された待ち受けモードに設定することを特徴とする付記１０に記載の音声通話装置。
【０１６４】
（付記１３）無線通信網に接続する第１の無線通信インターフェースを用いて音声通話をおこなう音声通話方法において、
装置本体に着脱可能な第２の無線通信インターフェースの着脱を検出する検出工程と、
前記検出工程によって検出された第２の無線通信インターフェースが公衆回線網に接続する音声通話対応のインターフェースであるか否かを判別する判別工程と、
前記検出工程によって検出された検出結果または前記判別工程によって判別された判別結果に基づいて、前記第１または第２の無線通信インターフェースのうち少なくともいずれか一つのインターフェースを用いて音声通話の発着信の待ち受けをおこなう待ち受けモードを設定する設定工程と、
を含んだことを特徴とする音声通話方法。
【０１６５】
（付記１４）無線通信網に接続する第１の無線通信インターフェースを用いて音声通話をおこなわせる音声通話プログラムにおいて、
装置本体に着脱可能な第２の無線通信インターフェースの着脱を検出させる検出工程と、
前記検出工程によって検出された第２の無線通信インターフェースが公衆回線網に接続する音声通話対応のインターフェースであるか否かを判別させる判別工程と、
前記検出工程によって検出された検出結果または前記判別工程によって判別された判別結果に基づいて、前記第１または第２の無線通信インターフェースのうち少なくともいずれか一つのインターフェースを用いて音声通話の発着信の待ち受けをおこなう待ち受けモードを設定させる設定工程と、
をコンピュータに実行させることを特徴とする音声通話プログラム。
【０１６６】
（付記１５）付記１４に記載の音声通話プログラムを記録したコンピュータに読み取り可能な記録媒体。
【産業上の利用可能性】
【０１６７】
以上のように、本発明にかかる音声通話装置、音声通話方法、音声通話プログラム、および記録媒体は、無線ＬＡＮによるＶｏＩＰを利用した音声通話装置、音声通話方法、音声通話プログラム、および記録媒体に有用であり、特に、可搬型の携帯電話機、ＰＤＡ、パーソナル・コンピュータに適している。
【図面の簡単な説明】
【０１６８】
【図１】この発明の実施の形態にかかる音声通話装置のハードウェア構成を示す説明図である。
【図２】ＶｏＩＰ専用モードの状態遷移を示す図表である。
【図３】回線交換専用モードの状態遷移を示す図表である。
【図４】ＶｏＩＰ優先モードの状態遷移を示す図表である。
【図５】回線交換優先モードの状態遷移を示す図表である。
【図６】外付けＷＡＮ用インターフェースの種類によって利用できる待ち受けモードを示す図表である。
【図７】この発明の実施の形態にかかる音声通話装置の機能的構成を示すブロック図である。
【図８】この発明の実施の形態にかかる音声通話処理手順を示すフローチャートである。
【図９】待ち受けモード自動選択処理手順を示すフローチャートである。
【図１０−１】ＶｏＩＰ専用モード設定処理手順を示すフローチャート（その１）である。
【図１０−２】ＶｏＩＰ専用モード設定処理手順を示すフローチャート（その２）である。
【図１０−３】ＶｏＩＰ専用モード設定処理手順を示すフローチャート（その３）である。
【図１１】省電力モード（Ａ）の動作を示すタイミングチャートである。
【図１２】省電力モード（Ｂ）の動作を示すタイミングチャートである。
【図１３】回線交換専用モード設定処理手順を示すフローチャートである。
【図１４】省電力モード（Ｃ）の動作を示すタイミングチャートである。
【図１５−１】ＶｏＩＰ優先モード／回線交換優先モード設定処理手順を示すフローチャート（その１）である。
【図１５−２】ＶｏＩＰ優先モード／回線交換優先モード設定処理手順を示すフローチャート（その２）である。
【図１５−３】ＶｏＩＰ優先モード／回線交換優先モード設定処理手順を示すフローチャート（その３）である。
【図１５−４】ＶｏＩＰ優先モード／回線交換優先モード設定処理手順を示すフローチャート（その４）である。
【符号の説明】
【０１６９】
１０７  内蔵無線ＬＡＮインターフェース（第１の無線通信インターフェース）
１０８（１０８ａ，１０８ｂ）  外付けＷＡＮ用インターフェース（第２の無線通信インターフェース）
７００  音声通話装置
７０１  検出部
７０２  判別部
７０３  設定部
７０４  判定部
７０５  制御部
７０６  選択部
７０７  取得部
【図１】
2006270892.tif 000003
【図２】
2006270892.tif 000004
【図３】
2006270892.tif 000005
【図４】
2006270892.tif 000006
【図５】
2006270892.tif 000007
【図６】
2006270892.tif 000008
【図７】
2006270892.tif 000009
【図８】
2006270892.tif 000010
【図９】
2006270892.tif 000011
【図１０−１】
2006270892.tif 000012
【図１０−２】
2006270892.tif 000013
【図１０−３】
2006270892.tif 000014
【図１１】
2006270892.tif 000015
【図１２】
2006270892.tif 000016
【図１３】
2006270892.tif 000017
【図１４】
2006270892.tif 000018
【図１５−１】
2006270892.tif 000019
【図１５−２】
2006270892.tif 000020
【図１５−３】
2006270892.tif 000021
【図１５−４】
2006270892.tif 000022